(57)【要約】【課題】  投影像を投影しつつ、所望の被写体を撮影することができる撮影装置を提供する。【解決手段】  画像表示部１８に表示される画像を投影像として透過型スクリーンに投影する投影光学系４８と、光軸方向が前記投影光学系４８の光軸方向と異なる撮影光学系３６とを備える。【選択図】  図４
2010181759.tif 000002
【特許請求の範囲】
【請求項１】
画像表示部に表示される画像を投影像として透過型スクリーンに投影する投影光学系と、
光軸方向が前記投影光学系の光軸方向と異なる撮影光学系と、
を備えることを特徴とする撮影装置。
【請求項２】
前記投影像は、原画像の左右反転画像であることを特徴とする請求項１記載の撮影装置。
【請求項３】
前記投影像を鑑賞する鑑賞者を前記撮影光学系を介して撮像し、静止画像として記録する際の撮像条件を設定する設定部を更に備えることを特徴とする請求項１または請求項２記載の撮影装置。
【請求項４】
前記設定部は、前記撮像条件として撮像感度及び照明光の発光の有無の少なくとも一方を設定することを特徴とする請求項３記載の撮影装置。
【請求項５】
前記投影像を鑑賞する鑑賞者を前記撮影光学系を介して撮像し、動画像として記録する際の記録条件を設定する設定部を更に備えることを特徴とする請求項１または請求項２記載の撮影装置。
【請求項６】
前記設定部は、前記記録条件として画像の解像度及び記録時間の少なくとも一方を設定することを特徴とする請求項５記載の撮影装置。
【請求項７】
前記投影像を投影する投影モード、前記被写体光を撮像する撮像モード、及び前記投影像を投影し、かつ前記被写体光を撮像する両方モードを切り換える切換部を更に備えることを特徴とする請求項１〜請求項６の何れか一項に記載の撮影装置。
【発明の詳細な説明】
【技術分野】
【０００１】
本発明は、プロジェクタユニットを備えた撮影装置に関するものである。
【背景技術】
【０００２】
透過型スクリーンに画像を投影する場合には原画像を左右反転させて投影し、反射型スクリーンに画像を投影する場合には原画像を左右反転させることなく投影するプロジェクタが提案されている（例えば、特許文献１参照）。
【先行技術文献】
【特許文献】
【０００３】
【特許文献１】特開２００６−２９３１２４号公報
【発明の概要】
【発明が解決しようとする課題】
【０００４】
ところで、例えばプロジェクタにより反射型スクリーンに投影される投影像を鑑賞する鑑賞者をカメラにより撮影した場合には、プロジェクタの光源からの光が逆光となり、鑑賞者が暗く写るという問題があった。また、プロジェクタユニットを備えた撮影装置においては、例えばプロジェクタユニットから透過型スクリーンに投影像を投影しつつ、撮像ユニットで鑑賞者を撮影することができるが、透過型スクリーンが障害物となり、鑑賞者のみを撮影するのが困難な場合があった。
【０００５】
本発明の目的は、投影像を投影しつつ、所望の被写体を撮影することができる撮影装置を提供することである。
【課題を解決するための手段】
【０００６】
本発明の撮影装置は、画像表示部に表示される画像を投影像として透過型スクリーンに投影する投影光学系と、光軸方向が前記投影光学系の光軸方向と異なる撮影光学系とを備えることを特徴とする。
【発明の効果】
【０００７】
本発明の撮影装置によれば、投影像を投影しつつ、所望の被写体を撮影することができる。
【図面の簡単な説明】
【０００８】
【図１】第１の実施の形態に係るカメラの外観を示す斜視図である。
【図２】第１の実施の形態に係るカメラの外観を示す背面図である。
【図３】カメラの筐体内の各ユニットの配置位置を示す概略図である。
【図４】第１の実施の形態に係るカメラのシステム構成を示すブロック図である。
【図５】反射型スクリーンに投影する際の鑑賞者及びカメラの位置を示す図である。
【図６】透過型スクリーンに投影する際の鑑賞者及びカメラの位置を示す図である。
【図７】透過型スクリーン及び液晶ディスプレイに表示される画像を示す図である。
【図８】第１の実施の形態に係るカメラにおいて、透過型スクリーンに投影像を投影しつつ、鑑賞者を撮像する際の処理について説明するためのフローチャートである。
【図９】液晶ディスプレイに表示される画像を示す図である。
【図１０】投影光軸と撮影光軸を示す図である。
【図１１】両方モードにおいて動画像を記録する際の記録条件を設定する処理について説明するためのフローチャートである。
【図１２】第２の実施の形態に係るカメラにおいて、投影モードでプロジェクタユニットにより投影像を透過型スクリーンに投影している最中に、両方モードに切り換えられた際の処理について説明するためのフローチャートである。
【発明を実施するための形態】
【０００９】
以下、図面を参照して本発明の第１の実施の形態に係る撮影装置としてのカメラについて説明する。図１は、第１の実施の形態に係るカメラの外観を示す斜視図である。カメラ２は、前面カバー４と背面カバー６とを備えており、前面カバー４には、撮影窓８、プロジェクタ投影窓１０、フラッシュ光が射出されるフラッシュ窓１２が設けられている。また、カメラ２の上部には、電源スイッチ１４、及びレリーズ動作を指示するシャッタボタン１６等が設けられている。
【００１０】
図２は、第１の実施の形態に係るカメラ２の背面の構成を示す図である。カメラ２の背面カバー６には、撮影された画像の表示や再生等を行う液晶ディスプレイ１８、液晶ディスプレイ１８に表示された撮像条件等を選択するマルチセレクタ等を備える操作ボタン２０が設けられている。また、背面カバー６には、被写体を撮像する撮像モードと、投影像を投影する投影モードと、投影像を投影しつつ被写体を撮像する両方モードとを切り換えるモード切換レバー２２が設けられている。
【００１１】
図３は、第１の実施の形態に係るカメラ２において、内部に収容されている各ユニットの配置を示す正面図である。カメラ２の内部には、被写体光をカメラ２内部に導く撮影光学系及び撮影光学系を介した被写体光を撮像するための撮像素子等を有する撮像ユニット２４、投影像を投影するための投影光学系等を有するプロジェクタユニット２６、撮像ユニット２４及びプロジェクタユニット２６に電力を供給するバッテリを収容する電池室２８が設けられている。
【００１２】
図４は、第１の実施の形態に係るカメラ２のシステム構成を示すブロック図である。図４に示すように、カメラ２は、制御部３０、操作部３２、液晶ディスプレイ１８、メモリカード３４、撮像ユニット２４、及びプロジェクタユニット２６を含んで構成されている。制御部３０は、ＲＯＭ及びＲＡＭ等のメモリを含むマイクロプロセッサ等により構成され、カメラ２の各部を統括的に制御する。操作部３４は、図１及び図２に示す電源スイッチ１４、シャッタボタン１６、操作ボタン２０、モード切換レバー２２等を含んで構成されている。メモリカード３４は、カメラ２に設けられたカードスロット（図示せず）に着脱可能に装着される可搬性を有する記録媒体であり、撮像ユニット２４により撮像された画像に基づく画像データ等を記録する。
【００１３】
撮像ユニット２４は、撮影光学系３６、レンズ駆動部３８、撮像素子４０、撮像制御部４２を含んで構成されている。撮影光学系３６は、フォーカスレンズ、ズームレンズ、及び撮影光学系３６の光軸（以下、撮影光軸という）の方向を偏向する偏向光学系等を含んで構成され、被写体光を撮像素子４０に導く。レンズ駆動部３８は、撮影制御部４２からの指示に基づいて、撮影光学系３６を構成する所定のレンズを所定方向に駆動させる。例えば、所定のレンズを撮影光軸に沿って移動させる、撮影光軸の方向を変化させる等である。撮影光軸の方向を変化させるためには、偏向光学系を所定方向に駆動させる。撮像素子４０は、ＣＣＤやＣＭＯＳ等により構成されており、撮影光学系３６を介した被写体光を撮像して撮像信号を出力する。撮像制御部４２は、制御部３０からの指示に応じて、レンズ駆動部３８を介して撮影光学系３６を駆動し、撮像素子４０から出力された撮像信号に対して画像処理を行い、画像処理後の画像データを制御部３０に送信する。
【００１４】
プロジェクタユニット２６は、ＬＥＤ４４、液晶パネル４６、投影光学系４８、レンズ駆動部５０、投影制御部５２を含んで構成されている。ＬＥＤ４４は、発光ダイオード等により構成された投影用の光源であり、液晶パネル４６は、ＬＣＯＳ等の反射型液晶素子により構成されており、投影用の画像を表示する。投影光学系４８は、投影用画像の光学像を投影する投影レンズ及び投影光学系４８の光軸（以下、投影光軸という）の方向を偏向する偏向光学系等を含んで構成されている。レンズ駆動部５０は、投影制御部５２からの指示に基づいて、投影光学系４８を構成する所定のレンズを所定方向に駆動させる。例えば、所定のレンズを投影光軸に沿って移動させる、投影光軸の方向を変化させる等である。投影光軸の方向を変化させるためには、偏向光学系を所定方向に駆動させる。投影制御部５２は、制御部３０からの指示に応じて、所定の発光量でＬＥＤ４４を点灯させ、例えばメモリカード３４に記録されている投影用画像データに応じて、液晶パネル４６に投影用画像を表示し、投影光学系４８を介して、投影用画像の光学像をプロジェクタ投影窓１０から投影する。
【００１５】
具体的には、図５に示すように、カメラ２は、正面から投影用画像の光学像を反射型スクリーンＳ１に投影し、鑑賞者ＯＢは、反射型スクリーンＳ１に投影される投影像を鑑賞する。または、図６に示すように、カメラ２は、背面から投影用画像の光学像を透過型スクリーンＳ２に投影し、鑑賞者ＯＢは、透過型スクリーンＳ２に投影される投影像を鑑賞する。この際、図７に示すように、透過型スクリーンＳ２に投影される投影像は、投影用画像の左右反転画像である。また、図７に示すように、液晶ディスプレイ１８には、透過型スクリーンＳ２に投影されている投影像の左右反転画像、即ち左右反転していない投影用画像が表示される。
【００１６】
次に、図８に示すフローチャートを参照して、第１の実施の形態に係るカメラ２において、プロジェクタユニット２６により投影像を透過型スクリーンＳ２に投影しつつ、撮像ユニット２４により投影像を鑑賞している鑑賞者ＯＢを撮像する際の処理について説明する。
【００１７】
まず、制御部３０は、ユーザーにより電源スイッチ１４がオンされ、モード切換レバー２２が操作されることにより両方モードに切り換えられたことを確認すると（ステップＳ１０、Ｙｅｓ）、プロジェクタユニット２６による投影及び撮像ユニット２４による撮像のための設定を行う（ステップＳ１１）。具体的にはまず、図９に示すように、液晶ディスプレイ１８上に、投影のための設定（以下、投影設定という）を行うための投影設定画面１８ａ、及び撮像のための設定（以下、撮像設定という）を行うための撮像設定画面１８ｂを表示する。
【００１８】
投影設定については、投影用画像の選択、音量の選択、反射型スクリーンＳ１に投影するか透過型スクリーンＳ２に投影するかの選択、投影光軸の設定等を行う。この実施の形態では、メモリカード３４に記録されている画像データに基づく画像を透過型スクリーンＳ２に投影用画像として投影するものとする。ユーザーにより透過型スクリーンＳ２が選択された場合には、制御部３０は、透過型スクリーンＳ２に投影される投影像が投影用画像の左右反転画像となるように設定する。また、制御部３０は、図１０に示すように、カメラ２から投射される投影像が透過型スクリーンＳ２に投影されるように、投影光学系４８を構成する偏向光学系を駆動させ、投影光軸ＡＸ１を設定する。
【００１９】
撮像設定としてまず、撮影光軸ＡＸ２（図１０参照）の設定を行う。具体的には、制御部３０は、図１０に示すように、カメラ２により撮像する所望の被写体（鑑賞者ＯＢ）が画角内に収まるように、撮影光学系３６を構成する偏向光学系を駆動させ、撮影光軸ＡＸ２を設定する。即ち、透過型スクリーンＳ２は写らず、観賞者ＯＢのみが写るように、撮影光軸ＡＸ２を設定する。両方モードにおいては透過型スクリーンに投影像を投影しつつ、透過型スクリーン以外の例えば鑑賞者等を撮影するため、両方モードにおける投影光軸と撮影光軸とは、図１０に示すように異なる方向に設定される。なお、撮像設定において、上記した撮影光軸ＡＸ２の偏向に代えて、被写体が画角内に収まるように、撮影光学系３６を構成する所定のレンズを撮影光軸ＡＸ２に沿って駆動してズーミングするよう設定してもよい。また、被写体が画角内に収まるように、撮影光軸ＡＸ２の偏向とズーミングとを組合せて設定してもよい。
【００２０】
次に、制御部３０は、静止画像を撮像するか動画像を撮像するかをユーザーに選択させる。ユーザーが静止画像を撮像すると選択した場合には、制御部３０は、予め設定されメモリに記憶されている両方モードにおける静止画像の撮像条件を、メモリから読み込む。撮像条件としては、撮像感度（ＩＳＯ感度）、被写体（鑑賞者ＯＢ）への発光の有無、絞り値、シャッタスピード、ズーム、ピント（顔認識）等が含まれており、それぞれ両方モードにおける静止画像を撮像するのに最適な値に設定されている。
【００２１】
例えば、両方モードにおける静止画像の撮像感度は、投影像を投影していることから暗い室内での撮影であると判断し、高感度に設定されている。また、両方モードにおける被写体への発光の有無は、投影像の鑑賞の妨げとなると判断し、非発光に設定されている。また、両方モードにおける静止画像を撮像する際の絞り値は、遠くから鑑賞する鑑賞者もボケなく撮影するために小さく（即ち、被写界深度を大きく）設定されている。また、この実施の形態では、シャッタスピードを速く設定するなど他の撮像設定も行っているが、これら撮像設定は変更可能に構成されている。
【００２２】
一方、ユーザーが動画像を撮像すると選択した場合には、制御部３０は、予め設定されメモリに記憶されている両方モードにおける動画像の撮像条件をメモリから読み込む。そして、動画像をメモリカード３４に記録する際の記録条件を設定する。記録条件として例えば動画像を記録する際の画像の解像度や動画像の記録時間等が挙げられる。図１１は、両方モードにおいて動画像を記録する際の記録条件を設定する処理について説明するためのフローチャートである。
【００２３】
まず、制御部３０は、図８のステップＳ１１において投影設定された投影用画像の枚数ｎ及び一画像の投影時間ｔから、全投影用画像を投影する投影時間ｔ０（＝ｎ×ｔ）を算出する（ステップＳ３０）。次に、制御部３０は、メモリカード３４の空き容量ｍ０を算出する（ステップＳ３１）。次に、制御部３０は、予め設定されている動画像の記録時間（この実施の形態では、投影時間ｔ０と同一の長さとする）及び画像の解像度ｖ０から、動画像を記録するために必要な容量ｍ１（＝ｔ０×ｖ０）を算出する（ステップＳ３２）。
【００２４】
次に、制御部３０は、ステップＳ３１において算出した空き容量ｍ０がステップＳ３２において算出した必要な容量ｍ１より大きいか否かを判別する（ステップＳ３３）。ステップＳ３３において空き容量ｍ０が必要な容量ｍ１より大きくないと判別された場合には（ステップＳ３３、Ｎｏ）、制御部３０は、空き容量ｍ０内に収まり、記録時間ｔ１の間、記録可能な画像の解像度ｖ１（＜ｍ０／ｔ０）を算出する（ステップＳ３４）。算出される画像の解像度ｖ１は、必要な容量ｍ１に満たない空き容量ｍ０内で、予め設定されている記録時間ｔ１の間、記録可能であることから、予め設定されている画像の解像度ｖ０より低い解像度である。
【００２５】
次に、制御部３０は、記録時間ｔ１及び解像度ｖ１により動画像を記録してよいか否かをユーザーに確認させる（ステップＳ３５）。即ち、液晶ディスプレイ１８上に、予め設定されている画像の解像度ｖ０より低い解像度ｖ１で動画像を記録してよいか否かの確認を促す表示を行う。具体的には、液晶ディスプレイ１８内の撮像設定画面１８ｂに、「画像の解像度ｖ１で動画像を投影している間記録します。よろしいですか？」等のコメントを表示し、ユーザーに選択操作させる。ユーザーが解像度ｖ１で動画像を記録してよいと選択した場合には（ステップＳ３５、Ｙｅｓ）、制御部３０は、予め設定されていた解像度ｖ０から、解像度ｖ１に撮像設定を変更する（ステップＳ３６）。
【００２６】
ステップＳ３３において空き容量ｍ０が必要な容量ｍ１より大きいと判別された場合（ステップＳ３３、Ｙｅｓ）、ステップＳ３５においてユーザーが解像度ｖ１で動画像を記録しないと選択した場合（ステップＳ３５、Ｎｏ）には、予め設定されている画像の解像度ｖ０及び画像の記録時間ｔ０は変更することなく、次のステップに進む。
【００２７】
なお、この実施の形態では、図９に示すように、液晶ディスプレイ１８上に、投影設定画面１８ａ及び撮像設定画面１８ｂを表示し、投影設定及び撮像設定を略同時に行っているが、まず、液晶ディスプレイ１８上に投影設定画面または撮像設定画面のみを表示し、投影設定または撮像設定を行い、次に、液晶ディスプレイ１８上に撮像設定画面または投影設定画面のみを表示し、撮像設定または投影設定を行うこともできる。
【００２８】
図８に戻り、ステップＳ１１において両方モードにおける投影及び撮像のための設定が終了すると、制御部３０は、ユーザーにより投影を開始するための図示しない投影開始ボタンが押下されたか否かを判別する（ステップＳ１２）。そして、ユーザーにより投影開始ボタンが押下されると（ステップＳ１２、Ｙｅｓ）、ステップＳ１１においてユーザーが静止画像を撮像すると選択している場合には（ステップＳ１３、Ｙｅｓ）、制御部３０は、投影制御部５２に対して投影開始を指示し、投影制御部５２は、投影を開始する（ステップＳ１４）。次に、ユーザーによりシャッタボタン１６が押下されたことを確認すると（ステップＳ１５、Ｙｅｓ）、制御部３０は、撮像制御部４２に対して静止画像の撮像を指示し、撮像制御部４２は、鑑賞者ＯＢを被写体とする静止画像を撮像する（ステップＳ１６）。制御部３０は、投影制御部５２から投影の終了を知らせる信号を受信するまで（ステップＳ１７）、ステップＳ１５〜Ｓ１７の処理を繰り返す。
【００２９】
一方、ユーザーにより投影開始ボタンが押下され（ステップＳ１２、Ｙｅｓ）、ステップＳ１１においてユーザーが動画像を撮像すると選択している場合には（ステップＳ１３、Ｎｏ）、制御部３０は、投影制御部５２に対して投影開始を指示し、かつ撮像制御部４２に対して動画像の撮像を指示する（ステップＳ１８）。投影制御部５２は、制御部３０の指示に従い、投影を開始し、撮像制御部４２は、制御部３０の指示に従い、鑑賞者ＯＢを被写体とする動画像の記録を開始する。このとき、カメラ２がマイクを備え、音を記録可能に構成されている場合には、画像と共に周囲の音を記録することもできる。
【００３０】
ここで、図１１のステップＳ３３において空き容量ｍ０が必要な容量ｍ１より大きいと判別された場合には、動画像の記録は、画像の解像度ｖ０で、投影開始から終了まで継続される。また、図１１のステップＳ３５においてユーザーが解像度ｖ１で動画像を記録してよいと選択した場合には、動画像の記録は、画像の解像度ｖ１で、投影開始から終了まで継続される。これらの場合には、制御部３０は、投影制御部５２から投影の終了を知らせる信号を受信すると（ステップＳ１９）、撮像制御部４２に対して動画像の記録を終了するよう指示し（ステップＳ２０）、撮像制御部４２は、動画像の記録を終了する。
【００３１】
一方、図１１のステップＳ３５においてユーザーが解像度ｖ１で動画像を記録しないと選択した場合には、撮像制御部４２は、画像の解像度ｖ０で、投影開始と同時に動画像の記録を開始し、メモリカード３４の空き容量がなくなり次第、即ち投影終了前に、動画像の記録を終了する。
【００３２】
第１の実施の形態に係るカメラ２によれば、両方モードにおいて投影光学系４８の投影光軸の方向と撮影光学系３６の撮影光軸の方向とが異なっているため、透過型スクリーンＳ２に投影像を投影しつつ、投影像を鑑賞する鑑賞者ＯＢを被写体とする画像（静止画像または動画像）を確実に撮像することができる。また、両方モードにおける静止画像及び動画像の撮像設定を行うことができるため、投影像を投影しつつ、被写体を良好に撮像することができる。また、両方モードにおける動画像の記録条件として、空き容量を考慮した画像の解像度及び画像の記録時間を設定することができる。また、透過型スクリーンＳ２に画像の左右反転像を投影し、左右反転させない画像を液晶ディスプレイ１８に表示することができるため、カメラ２のユーザー及び鑑賞者ＯＢの双方が正確な画像を鑑賞することができる。
【００３３】
なお、第１の実施の形態においては、動画像の記録時間を投影時間ｔ０と同一の長さに予め設定しているが、投影時間ｔ０より短い時間に予め設定することもできる。この場合には、投影開始と同時に動画像の記録を開始してもよく、また投影開始後、シャッタボタン１６を押下することにより動画像の記録を開始するようにしてもよい。
【００３４】
また、第１の実施の形態においては、投影光学系４８の投影光軸ＡＸ１の方向と、撮影光学系３６の撮影光軸ＡＸ２の方向とが相対的に異なるように、レンズ駆動部３８，５０を用いて偏向光学系を駆動するようにしたが、これに限定されるものではない。例えば、撮影光軸ＡＸ２の方向は固定とし、投影光軸ＡＸ１の方向のみを可変とするよう構成してもよい。あるいは、投影光軸ＡＸ１の方向及び撮影光軸ＡＸ２の方向が相対的に異なるように共に、予め固定された構成であってもよい。
【００３５】
次に、図面を参照して、本発明の第２の実施の形態に係る撮影装置としてのカメラについて説明する。なお、第２の実施の形態に係るカメラについては、第１の実施の形態に係るカメラ２と同一の構成を有しているため、その説明を省略し、第１の実施の形態に係るカメラ２の構成と同一の符号を用いて説明を行う。
【００３６】
図１２は、第２の実施の形態に係るカメラ２において、投影モードでプロジェクタユニット２６により投影像を透過型スクリーンＳ２に投影している最中に、両方モードに切り換えられた際の処理について説明するためのフローチャートである。
【００３７】
まず、制御部３０は、投影モードにおいてプロジェクタユニット２６により投影像を透過型スクリーンＳ２に投影している最中に、ユーザーによりモード切換レバー２２が操作されることにより両方モードに切り換えられたことを確認すると（ステップＳ４０、Ｙｅｓ）、撮像ユニット２４による撮像のための設定を行う（ステップＳ４１）。即ち、液晶ディスプレイ１８上に、透過型スクリーンＳ２に投影されている投影像に基づく画像を表示する投影像表示画面と、撮像設定を行うための撮像設定画面を表示する。
【００３８】
撮像設定については、第１の実施の形態に係る撮像設定と同一のため、その説明を省略する。なお、図１１のステップＳ３０において全投影用画像を投影する投影時間ｔ０を算出しているが、第２の実施の形態においては、全投影用画像を投影する投影時間ｔ０から両方モードに切り換えられる前までに投影された投影時間を差し引いた残投影時間を算出し、算出された残投影時間に基づいて画像の解像度及び画像の記録時間の少なくとも一方を設定する。
【００３９】
ステップＳ４１において両方モードにおける撮像設定が終了し、ユーザーが静止画像を撮像すると選択している場合には（ステップＳ４２、Ｙｅｓ）、制御部３０は、ユーザーによりシャッタボタン１６が押下されたか否かを判別する（ステップＳ４３）。ステップＳ４３〜Ｓ４５の処理については、図８に示すステップＳ１５〜Ｓ１７の処理と同一のため、その説明を省略する。
【００４０】
一方、ステップＳ４１において両方モードにおける撮像設定が終了し、ユーザーが動画像を撮像すると選択している場合には（ステップＳ４２、Ｎｏ）、制御部３０は、ユーザーによりシャッタボタン１６が押下されたか否かを判別する（ステップＳ４６）。ステップＳ４６においてシャッタボタン１６が押下されたことを確認すると（ステップＳ４６、Ｙｅｓ）、制御部３０は、撮像制御部４２に対して動画像の撮像を指示する（ステップＳ４７）。ステップＳ４７〜Ｓ４９の処理については、図８に示すステップＳ１８〜Ｓ２０の処理と同一のため、その説明を省略する。
【００４１】
第２の実施の形態に係るカメラ２によれば、第１の実施の形態に係るカメラ２における効果に加えて、投影モードにおいて投影している最中においても、両方モードに切り換えることができ、投影像を投影しつつ、鑑賞者ＯＢを被写体とする静止画像や動画像を撮影することができる。
【００４２】
上述の各実施の形態において、両方モードにおいて透過型スクリーンＳ２に投影している画像のファイル名や再生時間等の情報を、同時に撮影（記録）された静止画像や動画像に付加させることもできる。この場合には、静止画像や動画像が何れの画像を投影しているときに撮影されたものであるかを容易に判別することができる。
【産業上の利用可能性】
【００４３】
プロジェクタユニットを備えた撮影装置として産業上利用可能である。
【符号の説明】
【００４４】
２…カメラ、８…撮影窓、１０…プロジェクタ投影窓、１２…フラッシュ窓、１４…電源スイッチ、１６…シャッタボタン、１８…液晶ディスプレイ、２２…モード切換レバー、２４…撮像ユニット、２６…プロジェクタユニット、３０…制御部、３４…メモリカード、３６…撮影光学系、３８，５０…レンズ駆動部、４０…撮像素子、４２…撮像制御部、４８…投影光学系、５２…投影制御部。
【図１】
2010181759.tif 000003
【図２】
2010181759.tif 000004
【図３】
2010181759.tif 000005
【図４】
2010181759.tif 000006
【図５】
2010181759.tif 000007
【図６】
2010181759.tif 000008
【図７】
2010181759.tif 000009
【図８】
2010181759.tif 000010
【図９】
2010181759.tif 000011
【図１０】
2010181759.tif 000012
【図１１】
2010181759.tif 000013
【図１２】
2010181759.tif 000014